(57)【特許請求の範囲】
【請求項１】
建物に設置されたエレベータシステムであって、
基準階を含む複数の階の乗り場へ運行可能な乗りかごと、
各階の乗り場に設けられ、乗り場に前記乗りかごを呼ぶための乗り場呼び手段と、
前記乗りかご内に設けられ、乗りかごの行先階を指定するかご呼び手段と、
前記基準階の乗り場に設けられ、救出運転信号を検出する基準階受信装置と、
前記救出運転信号を放出する携帯型送信装置と、
前記基準階受信装置と通信可能に接続され、前記乗りかごの運行を制御する制御機構と、を備え、
前記制御機構は、少なくとも通常運転モードおよび救出運転モードを含む前記乗りかごの運行モードを管理するモード管理手段と、前記乗りかごの運行モードが前記通常運転モードの際に各乗り場呼び手段および前記かご呼び手段からの信号に基づいて前記乗りかごの行先階を設定する行先階設定手段と、を有し、
前記基準階受信装置が前記携帯型送信装置からの救出運転信号を検出した時、前記モード管理手段が前記乗りかごの運行モードを前記救出運転モードとし、かつ、前記行先階設定手段が前記基準階を前記乗りかごの行先階に設定し、
前記救出運転信号は、前記基準階の乗り場以外の場所において、前記携帯型送信装置から放出されることができ、
前記建物は、前記基準階の乗り場の近傍に設けられ、セキュリティ装置からの制御に基づいて開閉する玄関ドアを備えており、
前記エレベータシステムは、前記玄関ドアの近傍に設けられるとともに前記制御機構と通信可能に接続され、前記携帯型送信装置からの救出運転信号を検出する玄関受信装置をさらに備え、
前記玄関受信装置が前記携帯型送信装置からの救出運転信号を検出した時、前記制御機構は、前記玄関ドアを開放するためのセキュリティ解除信号を生成するとともに、当該セキュリティ解除信号を前記セキュリティ装置に送信し、さらに、前記乗りかごの運行モードを前記救出運転モードとするとともに、前記基準階を前記乗りかごの行先階に設定することを特徴とするエレベータシステム。
【請求項２】
前記制御機構は、前記乗りかごの運行モードが前記救出運転モードとなっている間、各乗り場呼び手段および前記かご呼び手段を無効化する乗り場呼び禁止手段およびかご呼び禁止手段をさらに有することを特徴とする請求項１に記載のエレベータシステム。
【請求項３】
前記携帯型送信装置は、乗り場呼び解除信号およびかご呼び解除信号をさらに放出できるよう構成されており、
前記エレベータシステムは、前記乗りかご内に設けられるとともに前記制御機構と通信可能に接続され、前記携帯型送信装置からの前記かご呼び解除信号を検出する乗りかご受信装置をさらに備え、
前記制御機構は、前記乗り場呼び禁止手段による各乗り場呼び手段の無効化を少なくとも部分的に解除する乗り場呼び解除手段と、前記かご呼び禁止手段による前記かご呼び手段の無効化を解除するかご呼び解除手段と、をさらに有し、
前記基準階受信装置が前記携帯型送信装置からの乗り場呼び解除信号を検出した時、前記乗り場呼び解除手段は、基準階における乗り場呼び手段の無効化を解除し、
前記乗りかご受信装置が前記携帯型送信装置からのかご呼び解除信号を検出した時、前記かご呼び解除手段は、前記かご呼び手段の無効化を解除することを特徴とする請求項２に記載のエレベータシステム。
【請求項４】
前記基準階を除く各階の乗り場のうちｋ階（ｋは所定の整数）の乗り場に設けられるとともに前記制御機構と通信可能に接続され、前記携帯型送信装置からの救出運転信号を検出するｋ階受信装置をさらに備え、
前記ｋ階受信装置が前記携帯型送信装置からの救出運転信号を検出した時、前記モード管理手段が前記乗りかごの運行モードを前記救出運転モードとし、かつ、前記行先階設定手段がｋ階を前記乗りかごの行先階に設定することを特徴とする請求項１乃至３のいずれかに記載のエレベータシステム。
【請求項５】
前記エレベータシステムが設置された建物には、所定の情報を報知するための報知機構が設けられており、
前記制御機構は、前記乗りかごの運行モードが前記救出運転モードとなっている時、各乗り場呼び手段および前記かご呼び手段が無効化されているという情報が前記報知機構によって報知されるよう前記報知機構を制御することを特徴とする請求項２に記載のエレベータシステム。
【請求項６】
前記制御機構は、前記乗りかごの運行モードが前記救出運転モードとなっている時、各乗り場呼び手段および前記かご呼び手段が無効化されているという情報が前記報知機構の表示手段を介して視覚的に報知されるよう前記報知機構を制御することを特徴とする請求項５に記載のエレベータシステム。
【請求項７】
前記制御機構は、前記乗りかごの運行モードが前記救出運転モードとなっている時、各乗り場呼び手段および前記かご呼び手段が無効化されているという情報が前記報知機構の音声案内装置を介して聴覚的に報知されるよう前記報知機構を制御することを特徴とする請求項５に記載のエレベータシステム。
【発明の詳細な説明】
【技術分野】
【０００１】
本発明は、救急隊員など早急にエレベータを利用する必要がある者のために迅速に乗りかごを運行することができるエレベータシステムに関する。
【背景技術】
【０００２】
従来、急病人が発生した場合など、特定の者のために早急に乗りかごを運行する必要がある場合を想定したエレベータシステムが提案されている。例えば特許文献１において、電気的除細動が必要な急病人が発生した場合に、ＡＥＤが設置されている階の乗り場へ乗りかごを直行させるためのエレベータシステムが開示されている。
【先行技術文献】
【特許文献】
【０００３】
【特許文献１】特開２０１０−２６０７０３号公報
【発明の概要】
【発明が解決しようとする課題】
【０００４】
多数の居住者が居住する集合住宅などにおいて急病人が発生し、かつこの急病人が医療施設における治療を必要とする場合、救急隊員などの救出者が集合住宅に向かうことになる。集合住宅にエレベータが設置されている場合、一般に救急隊員は、エレベータを利用して急病人が居住する階へ向かう。
【０００５】
ところで、集合住宅に設置されている乗りかごの台数は限られている。このため、救急隊員が集合住宅に到着し、そして集合住宅の玄関に最も近いエレベータ乗り場（以下、基準階の乗り場と称する）に到達したとき、当該乗り場に常に乗りかごが待機しているとは限らない。例えば、救急隊員が基準階の乗り場に到着した時、乗りかごが基準階から最も遠い階の乗り場に滞在していることが考えられる。この場合、乗りかごが基準階に到着することを待つ必要があり、このため、急病人の救出に要する時間が長くなってしまう。
【０００６】
本発明は、このような課題を効果的に解決し得るエレベータシステムを提供することを目的とする。
【課題を解決するための手段】
【０００７】
本発明は、基準階を含む複数の階の乗り場へ運行可能な乗りかごと、各階の乗り場に設けられ、乗り場に前記乗りかごを呼ぶための乗り場呼び手段と、前記乗りかご内に設けられ、乗りかごの行先階を指定するかご呼び手段と、前記基準階の乗り場に設けられ、救出運転信号を検出する基準階受信装置と、前記救出運転信号を放出する携帯型送信装置と、前記基準階受信装置と通信可能に接続され、前記乗りかごの運行を制御する制御機構と、を備え、前記制御機構は、少なくとも通常運転モードおよび救出運転モードを含む前記乗りかごの運行モードを管理するモード管理手段と、前記乗りかごの運行モードが前記通常運転モードの際に各乗り場呼び手段および前記かご呼び手段からの信号に基づいて前記乗りかごの行先階を設定する行先階設定手段と、を有し、前記基準階受信装置が前記携帯型送信装置からの救出運転信号を検出した時、前記モード管理手段が前記乗りかごの運行モードを前記救出運転モードとし、かつ、前記行先階設定手段が前記基準階を前記乗りかごの行先階に設定することを特徴とするエレベータシステムである。
【０００８】
本発明によるエレベータシステムにおいて、前記制御機構は、前記乗りかごの運行モードが前記救出運転モードとなっている間、各乗り場呼び手段および前記かご呼び手段を無効化する乗り場呼び禁止手段およびかご呼び禁止手段をさらに有していてもよい。
【０００９】
本発明によるエレベータシステムにおいて、前記携帯型送信装置は、乗り場呼び解除信号およびかご呼び解除信号をさらに放出できるよう構成されていてもよい。また前記エレベータシステムは、前記乗りかご内に設けられるとともに前記制御機構と通信可能に接続され、前記携帯型送信装置からの前記かご呼び解除信号を検出する乗りかご受信装置をさらに備えていてもよい。また前記制御機構は、前記乗り場呼び禁止手段による各乗り場呼び手段の無効化を少なくとも部分的に解除する乗り場呼び解除手段と、前記かご呼び禁止手段による前記かご呼び手段の無効化を解除するかご呼び解除手段と、をさらに有していてもよい。この場合、前記基準階受信装置が前記携帯型送信装置からの乗り場呼び解除信号を検出した時、前記乗り場呼び解除手段は、基準階における乗り場呼び手段の無効化を解除し、前記乗りかご受信装置が前記携帯型送信装置からのかご呼び解除信号を検出した時、前記かご呼び解除手段は、前記かご呼び手段の無効化を解除してもよい。
【００１０】
本発明によるエレベータシステムは、前記基準階を除く各階の乗り場のうちｋ階（ｋは所定の整数）の乗り場に設けられるとともに前記制御機構と通信可能に接続され、前記携帯型送信装置からの救出運転信号を検出するｋ階受信装置をさらに備えていてもよい。この場合、前記ｋ階受信装置が前記携帯型送信装置からの救出運転信号を検出した時、前記モード管理手段が前記乗りかごの運行モードを前記救出運転モードとし、かつ、前記行先階設定手段がｋ階を前記乗りかごの行先階に設定してもよい。
【００１１】
前記エレベータシステムが設置された建物は、前記基準階の乗り場の近傍に設けられ、セキュリティ装置からの制御に基づいて開閉する玄関ドアを備えていてもよい。また本発明による前記エレベータシステムは、前記玄関ドアの近傍に設けられるとともに前記制御機構と通信可能に接続され、前記携帯型送信装置からの救出運転信号を検出する玄関受信装置をさらに備えていてもよい。この場合、前記玄関受信装置が前記携帯型送信装置からの救出運転信号を検出した時、前記制御機構は、前記玄関ドアを開放するためのセキュリティ解除信号を生成するとともに、当該セキュリティ解除信号を前記セキュリティ装置に送信してもよい。
【００１２】
前記エレベータシステムが設置された建物には、所定の情報を報知するための報知機構が設けられていてもよい。この場合、本発明によるエレベータシステムにおいて、前記制御機構は、前記乗りかごの運行モードが前記救出運転モードとなっている時、各乗り場呼び手段および前記かご呼び手段が無効化されているという情報が前記報知機構によって報知されるよう前記報知機構を制御してもよい。
【００１３】
本発明によるエレベータシステムにおいて、前記制御機構は、前記乗りかごの運行モードが前記救出運転モードとなっている時、各乗り場呼び手段および前記かご呼び手段が無効化されているという情報が前記報知機構の表示手段を介して視覚的に報知されるよう前記報知機構を制御してもよい。
【００１４】
本発明によるエレベータシステムにおいて、前記制御機構は、前記乗りかごの運行モードが前記救出運転モードとなっている時、各乗り場呼び手段および前記かご呼び手段が無効化されているという情報が前記報知機構の音声案内装置を介して聴覚的に報知されるよう前記報知機構を制御してもよい。
【発明の効果】
【００１５】
本発明によれば、救出者が有する携帯型送信装置からの救出運転信号を基準階受信装置が検出した時、モード管理手段が乗りかごの運行モードを救出運転モードとし、かつ、行先階設定手段が基準階を乗りかごの行先階に設定する。このため、救出者が迅速に乗りかごを利用することができる。このことにより、急病人の救出に要する時間を短くすることができる。
【図面の簡単な説明】
【００１６】
【図１】図１は、本発明の第１の実施の形態におけるエレベータシステムを示す図。
【図２】図２は、本発明の第１の実施の形態において、制御機構および制御機構に接続された各装置を示すブロック図。
【図３】図３は、本発明の第１の実施の形態において、制御機構の制御装置を示すブロック図。
【図４】図４は、本発明の第１の実施の形態において、エレベータシステムの動作を示すフローチャート。
【図５】図５は、本発明の第２の実施の形態において、制御機構の制御装置を示すブロック図。
【図６】図６は、本発明の第２の実施の形態において、エレベータシステムの動作を示すフローチャート。
【図７】図７は、本発明の第３の実施の形態におけるエレベータシステムを示す図。
【図８】図８は、本発明の第３の実施の形態において、エレベータシステムの動作を示すフローチャート。
【図９】図９は、本発明の第４の実施の形態におけるエレベータシステムを示す図。
【図１０】図１０は、本発明の第４の実施の形態において、制御機構および制御機構に接続された各装置を示すブロック図。
【図１１】図１１は、本発明の第４の実施の形態において、エレベータシステムの動作を示すフローチャート。
【図１２】図１２は、本発明の第５の実施の形態において、エレベータシステムの動作を示すフローチャート。
【図１３】図１３は、表示装置に表示される画面の一例を示す図。
【図１４】図１４は、本発明の第６の実施の形態において、エレベータシステムの動作を示すフローチャート。
【発明を実施するための形態】
【００１７】
第１の実施の形態
以下、図１乃至図６を参照して、本発明の第１の実施の形態について説明する。まず図１により、本実施の形態におけるエレベータシステム１０全体について説明する。
【００１８】
エレベータシステム
図１は、本実施の形態によるエレベータシステム１０が設置された建物（例えば集合住宅）全体を示す図である。本実施の形態においては、玄関から建物内に入った救急隊員４６が基準階の乗り場１３ａの近傍に居り、一方、急病人４７が３階の居室に居る場合について説明する。ここで救急隊員４６は、救出運転信号、乗り場呼び解除信号またはかご呼び解除信号を選択的に放出することができる携帯型送信装置１を携帯している。
【００１９】
図１に示すように、エレベータシステム１０は、乗りかご９と、乗りかご９にロープ４２を介して連結された釣合重り４１と、ロープを巻き上げる巻上機４０と、巻上機４０を制御することによって乗りかご９の運行を制御する制御機構３と、を備えている。建物内において、乗りかご９は、基準階の乗り場１３ａ、２階の乗り場１３ｂおよび３階の乗り場１３ｃへ運行可能となっている。
【００２０】
またエレベータシステム１０は、各階の乗り場にそれぞれ設けられ、各乗り場に乗りかご９を呼ぶための乗り場呼び手段１４ａ，１４ｂ，１４ｃと、乗りかご９内に設けられ、乗りかご９の行先階を指定するかご呼び手段５と、をさらに備えている。このうち乗り場呼び手段１４ａ，１４ｂ，１４ｃは、基準階の乗り場１３ａに設けられた基準階乗り場呼び手段１４ａと、２階の乗り場１３ｂに設けられた２階乗り場呼び手段１４ｂと、３階の乗り場１３ｃに設けられた３階乗り場呼び手段１４ｃと、からなっている。各乗り場呼び手段１４ａ，１４ｂ，１４ｃおよびかご呼び手段５は、例えば、エレベータの利用者により押されるボタンと、ボタンが押されたという情報を制御機構３に送信する送信部と、を含んでいる。
【００２１】
上述のかご呼び手段５は、乗りかご９内に設けられたカーオペレーションパネル（ＣＯＰ）８の一構成要素として設けられている。このＣＯＰ８は、制御機構３と通信可能に接続され、携帯型送信装置１からのかご呼び解除信号を検出する乗りかご受信装置４をさらに有している。なお、かご呼び解除信号および乗りかご受信装置４については、後に第２の実施の形態において詳細に説明する。
【００２２】
また図１に示すように、各階の乗り場には、携帯型送信装置１からの救出運転信号および乗り場呼び解除信号を検出する受信装置２ａ，２ｂ，２ｃが設けられている。受信装置２ａ，２ｂ，２ｃは、基準階の乗り場１３ａに設けられた基準階受信装置２ａと、２階の乗り場１３ｂに設けられた２階受信装置２ｂと、３階の乗り場１３ｃに設けられた３階受信装置２ｃと、からなっている。なお、乗り場呼び解除信号については、後に第２の実施の形態において詳細に説明する。また、２階受信装置２ｂおよび３階受信装置２ｃについては、後に第３の実施の形態において詳細に説明する。
【００２３】
またエレベータシステム１０が設置された建物には、セキュリティ管理室１６内に配置されたセキュリティ装置１５や、セキュリティ装置１５と通信機能に接続され、各階の居室に設けられた報知機構などが設けられている。報知機構は例えば、２階の居室に設けられたインターホン１１ｂと、３階の居室に設けられたインターホン１１ｃと、を含んでいる。各インターホン１１ｂ、１１ｃは、所定の情報を、表示装置を介して視覚的に、または音声案内装置を介して聴覚的に居住者に報知することができる。
【００２４】
制御機構
次に図２を参照して、エレベータシステム１０の制御機構３について詳細に説明する。図２は、制御機構３および制御機構３と通信可能に接続された各装置を示すブロック図である。
【００２５】
図２に示すように、制御機構３は、基準階受信装置２ａ，２階受信装置２ｂ，３階受信装置２ｃおよび乗りかご受信装置４と通信可能に接続された信号入力装置３ｂと、セキュリティ装置１５と通信可能に接続された信号出力装置３ｃと、信号入力装置３ｂからの信号を処理するとともに処理後の信号を信号出力装置３ｃに向けて送信する制御装置３ａと、を有している。以下、制御装置３ａ，信号入力装置３ｂおよび信号出力装置３ｃについてそれぞれ説明する。
【００２６】
（信号入力装置）
はじめに信号入力装置３ｂについて説明する。信号入力装置３ｂは、各装置２ａ，２ｂ，２ｃおよび４からの信号を記憶する記憶部を有している。この記憶部は、例えば、各装置２ａ，２ｂ，２ｃおよび４からの信号を２進数のデータ、すなわち１または０として記憶するビット＜０＞〜＜６＞を含んでいる。各ビット＜０＞〜＜６＞は、各装置２ａ，２ｂ，２ｃおよび４からの信号がＯＮとなっている場合、例えば各装置２ａ，２ｂ，２ｃおよび４からの信号の電圧レベルがＨｉｇｈとなっている場合に１というデータになるよう構成されている。
【００２７】
図２に示すように、信号入力装置３ｂにおいて、ビット＜０＞が、基準階受信装置２ａからの救出運転信号に対応しており、ビット＜１＞が、基準階受信装置２ａからの乗り場呼び解除信号に対応している。また、ビット＜２＞が、乗りかご受信装置４からのかご呼び解除信号に対応している。またビット＜３＞が、２階受信装置２ｂからの救出運転信号に対応しており、ビット＜４＞が、２階受信装置２ｂからの乗り場呼び解除信号に対応している。またビット＜５＞が、３階受信装置２ｃからの救出運転信号に対応しており、ビット＜６＞が、３階受信装置２ｃからの乗り場呼び解除信号に対応している。
【００２８】
（信号出力装置）
次に信号出力装置３ｃについて説明する。信号出力装置３ｃは、制御装置３ａからの信号に基づいて、セキュリティ装置１５に向けて信号を送信するよう構成されている。具体的には、信号出力装置３ｃは、セキュリティ装置１５を介してインターホン１１ｂ，１１ｃの表示装置に所定の情報を表示させるための表示装置出力信号、および、セキュリティ装置１５を介してインターホン１１ｂ，１１ｃの音声案内装置に所定の情報をアナウンスさせるためのアナウンス出力信号を送信することができる。また信号出力装置３ｃは、これらの信号に関するデータを記憶するための記憶部を有している。この記憶部は、各信号のＯＮ／ＯＦＦを１または０のデータとして記憶するビット＜０＞，＜１＞を含んでいる。図２に示すように、信号出力装置３ｃにおいて、ビット＜０＞が表示装置出力信号に対応しており、ビット＜１＞がアナウンス出力信号に対応している。
【００２９】
（制御装置）
次に図２および図３を参照して、制御装置３ａについて説明する。図３に示すように、制御装置３ａは、モード管理手段３１、行先階設定手段３２、乗り場呼び禁止手段３３およびかご呼び禁止手段３４を含んでいる。以下、各手段３１〜３４について説明する。
【００３０】
〔モード管理手段〕
モード管理手段３１は、少なくとも通常運転モードおよび救出運転モードを含む乗りかご９の運行モードを管理するものである。このモード管理手段３１は、図３に示すように信号入力装置３ｂに接続されており、そしてモード管理手段３１は、信号入力装置３ｂからの信号に基づいて乗りかご９の運行モードを管理する。具体的には、モード管理手段３１は、信号入力装置３ｂのビット＜０＞，＜３＞または＜５＞が１となっている場合に乗りかご９の運行モードを救出運転モードとし、それ以外の場合に乗りかご９の運行モードを通常運転モードとする。
【００３１】
また図３に示すように、モード管理手段３１は信号出力装置３ｃにも接続されており、そしてモード管理手段３１は、信号入力装置３ｂからの信号を処理するとともに処理後の信号を信号出力装置３ｃに向けて送信する。例えば、モード管理手段３１は、信号入力装置３ｂからの信号に応じて信号出力装置３ｃの各ビット＜０＞，＜１＞に記憶されているデータが変更されるよう、信号出力装置３ｃに向けて信号を送信する。
【００３２】
〔行先階設定手段〕
行先階設定手段３２は、乗りかご９の行先階を設定するためのものである。この行先階設定手段３２には、図３に示すように信号入力装置３ｂが接続されている。また行先階設定手段３２には、図３に示すように、乗り場呼び禁止手段３３を介して各乗り場呼び手段１４ａ，１４ｂ，１４ｃが接続されており、同様に、かご呼び禁止手段３４を介してかご呼び手段５が接続されている。行先階設定手段３２は、行先階設定手段３２に接続されている上述の装置および手段からの情報に基づいて、乗りかご９の行先階を設定する。
【００３３】
行先階設定手段３２において設定された行先階に関する情報は、前述の巻上機４０に送られる。これによって、行先階設定手段３２において設定された行先階へ向けて乗りかご９が運行される。
【００３４】
なお、運行モードが通常運転モードとなっている場合、各呼び手段１４ａ，１４ｂ，１４ｃ，５からの信号は、行先階設定手段３２による行先階の設定にそのまま反映される。一方、運行モードが救出運転モードとなっている場合、各呼び手段１４ａ，１４ｂ，１４ｃ，５によって行先階が指定された場合であっても、後述する乗り場呼び禁止手段３３およびかご呼び禁止手段３４によってそれらの指定が無効化され得る。
【００３５】
〔乗り場呼び禁止手段およびかご呼び禁止手段〕
乗り場呼び禁止手段３３は、運行モードやその他の情報に基づいて、基準階乗り場呼び手段１４ａ、２階乗り場呼び手段１４ｂおよび３階乗り場呼び手段１４ｃからの信号を全てまたは部分的に無効化するものである。またかご呼び禁止手段３４は、運行モードやその他の情報に基づいて、かご呼び手段５からの信号を無効化するものである。
【００３６】
エレベータシステムの動作例
次に、このような構成からなるエレベータシステム１０の動作の一例について、図４に示すフローチャートを参照して説明する。なお図４における「開始」の時点では、乗りかご９の運行モードが通常運転モードになっている。
【００３７】
建物に到着した救急隊員４６は、建物の玄関を通って基準階の乗り場１３ａに到達する。この際、救急隊員４６は、基準階の乗り場１３ａに到達するよりも前に、自身が携帯する携帯型送信装置１から救出運転信号を放出させる。携帯型送信装置１からの救出運転信号は、基準階の乗り場１３ａに設けられた基準階受信装置２ａによって検出される。その後、基準階受信装置２ａが救出運転信号を検出したという信号が信号入力装置３ｂへ送信され、これによって、信号入力装置３ｂのビット＜０＞が１となる（Ｓ１０１）。
【００３８】
なお、携帯型送信装置１から救出運転信号を放出させるための、携帯型送信装置１における具体的な構成や操作が特に限られることはない。例えば、救出運転信号を放出させるためのボタンが携帯型送信装置１に設けられていてもよい。若しくは、十字ボタンや決定ボタンが携帯型送信装置１に設けられており、これらのボタンを適切に操作することによって携帯型送信装置１から救出運転信号が放出されてもよい。後の実施の形態において言及する乗り場呼び解除信号およびかご呼び解除信号についても同様に、様々な構成や操作に基づいて携帯型送信装置１から放出され得る。
【００３９】
次に、モード管理手段３１が、信号入力装置３ｂから送信される、ビット＜０＞＝１となっていることを意味する信号に基づいて、乗りかご９の運行モードを救出運転モードとする（Ｓ１０２）。またモード管理手段３１は、運行モードが救出運転モードになったという情報を、信号出力装置３ｃ、乗り場呼び禁止手段３３およびかご呼び禁止手段３４に送信する。
【００４０】
乗り場呼び禁止手段３３は、運行モードが救出運転モードとなっている間、基準階乗り場呼び手段１４ａ、２階乗り場呼び手段１４ｂおよび３階乗り場呼び手段１４ｃからの信号を全て無効化する。またかご呼び禁止手段３４は、運行モードが救出運転モードとなっている間、かご呼び手段５からの信号を無効化する。これによって、各乗り場呼び手段１４ａ，１４ｂ，１４ｃおよびかご呼び手段５が無効化される（Ｓ１０３）。
【００４１】
また行先階設定手段３２は、信号入力装置３ｂから送信される、ビット＜０＞＝１となっていることを意味する信号に基づいて、救出運転信号を検出した受信装置が設けられている階を乗りかご９の行先階に設定する。具体的には、救出運転信号を検出した基準階受信装置２ａが設けられている階である基準階を、乗りかご９の行先階に設定する。その後、乗りかご９が、基準階の乗り場１３ａに到着する（Ｓ１０４）。
【００４２】
ここで上述のように、運行モードが救出運転モードとなっている間、各乗り場呼び手段１４ａ，１４ｂ，１４ｃおよびかご呼び手段５は無効化されている。このため、乗りかご９が基準階に向かって運行している間、乗りかご９が基準階以外の階で停止することはない。このため、乗りかご９を迅速に基準階の乗り場１３ａへ到着させることができる。
【００４３】
乗りかご９が基準階の乗り場１３ａに到着すると、モード管理手段３１は、乗りかご９の運行モードを救出運転モードから通常運転モードに戻す。この結果、各乗り場呼び手段１４ａ，１４ｂ，１４ｃおよびかご呼び手段５の無効化が解除される。このため、救急隊員４６は、基準階乗り場呼び手段１４ａを用いて乗りかご９の中に乗り込むことができる。その後、救急隊員４６は、乗りかご９内のかご呼び手段５を用いて、乗りかご９の行先階として３階（急病人４７が居る階）を指定することができる。
【００４４】
このように本実施の形態によれば、救急隊員４６が有する携帯型送信装置１からの救出運転信号を基準階受信装置２ａが検出した時、モード管理手段３１が乗りかご９の運行モードを救出運転モードとし、かつ、行先階設定手段２１が基準階を乗りかご９の行先階に設定する。このため、救急隊員４６が迅速に乗りかご９を利用することができる。このことにより、急病人の救出に要する時間を短くすることができる。
【００４５】
また本実施の形態によれば、制御装置３ａは、乗りかご９の運行モードが救出運転モードとなっている間、各乗り場呼び手段１４ａ，１４ｂ，１４ｃおよびかご呼び手段５を無効化する乗り場呼び禁止手段３３およびかご呼び禁止手段３４を有している。このため、乗りかご９が基準階に向かって運行している間、乗りかご９が基準階以外の階で停止することはない。このことにより、乗りかご９をより迅速に救急隊員４６がいる基準階の乗り場１３ａへ到着させることができる。
【００４６】
第２の実施の形態
次に図５および図６を参照して、本発明の第２の実施の形態について説明する。図５および図６に示す第２の実施の形態においては、乗りかご９が基準階の乗り場１３ａに向けて運行する間だけでなく、救急隊員４６を乗せた乗りかご９が急病人４７が居る階に向けて運行する間も、乗りかご９の運行モードが救出運転モードとなっている。図５および図６に示す第２の実施の形態において、図１乃至図４に示す第１の実施の形態と同一部分には同一符号を付して詳細な説明は省略する。
【００４７】
（制御装置）
図５を参照して、本実施の形態における制御装置３ａについて説明する。図５に示すように、制御装置３ａは、乗り場呼び禁止手段３３による各乗り場呼び手段１４ａ，１４ｂ，１４ｃの無効化を少なくとも部分的に解除する乗り場呼び解除手段３５と、かご呼び禁止手段３４によるかご呼び手段５の無効化を解除するかご呼び解除手段３６と、をさらに有している。図５に示すように、乗り場呼び解除手段３５およびかご呼び解除手段３６は信号入力装置３ｂに接続されている。
【００４８】
エレベータシステムの動作例
次に、このような構成からなるエレベータシステム１０の動作の一例について、図６に示すフローチャートを参照して説明する。なお、救急隊員４６が建物に到着してから、乗りかご９が基準階の乗り場１３ａに到着するまでの動作（Ｓ１０１〜Ｓ１０４）は、上述の第１の実施の形態の場合と同一であるので、説明を省略する。
【００４９】
救急隊員４６は、自身が携帯する携帯型送信装置１から乗り場呼び解除信号を放出させる。携帯型送信装置１からの乗り場呼び解除信号は、基準階の乗り場１３ａに設けられた基準階受信装置２ａによって検出される。その後、基準階受信装置２ａが乗り場呼び解除信号を検出したという信号が信号入力装置３ｂへ送信され、これによって、信号入力装置３ｂのビット＜１＞が１となる（Ｓ１０５）。
【００５０】
なお救急隊員４６は、乗りかご９が基準階の乗り場１３ａに到着した後に携帯型送信装置１から乗り場呼び解除信号を放出させてもよく、若しくは、乗りかご９が基準階の乗り場１３ａに到着する前に携帯型送信装置１から乗り場呼び解除信号を放出させてもよい。
【００５１】
次に、乗り場呼び解除手段３５が、信号入力装置３ｂから送信される、ビット＜１＞＝１となっていることを意味する信号に基づいて、乗り場呼び解除信号を検出した受信装置が設けられている階における乗り場呼び手段の無効化を解除する。具体的には、乗り場呼び解除信号を検出した基準階受信装置２ａが設けられている階である基準階について、基準階乗り場呼び手段１４ａの無効化を解除する（Ｓ１０６）。これによって、救急隊員４６が基準階乗り場呼び手段１４ａを用いて乗りかご９の中に乗り込むことが可能となる。
【００５２】
その後、救急隊員４６は、自身が携帯する携帯型送信装置１からかご呼び解除信号を放出させる。携帯型送信装置１からのかご呼び解除信号は、乗りかご９内に設けられた乗りかご受信装置４によって検出される。その後、乗りかご受信装置４がかご呼び解除信号を検出したという信号が信号入力装置３ｂへ送信され、これによって、信号入力装置３ｂのビット＜２＞が１となる（Ｓ１０７）。
【００５３】
次に、かご呼び解除手段３６が、信号入力装置３ｂから送信される、ビット＜２＞＝１となっていることを意味する信号に基づいて、かご呼び手段５の無効化を解除する（Ｓ１０８）。これによって、救急隊員４６が乗りかご９内のかご呼び手段５を用いて乗りかご９の行先階として３階（急病人４７が居る階）を指定することが可能となる。
【００５４】
その後、乗りかご９が、急病人４７が居る階である３階の乗り場１３ｃに到着する（Ｓ１０９）。乗りかご９が３階の乗り場１３ｃに到着すると、モード管理手段３１は、乗りかご９の運行モードを救出運転モードから通常運転モードに戻す。これによって、その後、建物の居住者は、通常通りエレベータを利用することができる。
【００５５】
このように本実施の形態によれば、救急隊員４６を乗せた乗りかご９が急病人４７が居る階に向けて運行する間、乗りかご９の運行モードが救出運転モードとなっている。また制御装置３ａは、乗り場呼び禁止手段３３による各乗り場呼び手段１４ａ，１４ｂ，１４ｃの無効化を少なくとも部分的に解除する乗り場呼び解除手段３５と、かご呼び禁止手段３４によるかご呼び手段５の無効化を解除するかご呼び解除手段３６と、をさらに有している。このため、乗りかご９が急病人４７のいる階に向かって運行している間、乗りかご９が急病人４７のいる階以外の階で停止することはない。このため、乗りかご９をより迅速に急病人４７のいる階の乗り場へ到着させることができる。
【００５６】
第３の実施の形態
次に図７および図８を参照して、本発明の第３の実施の形態について説明する。
【００５７】
第３の実施の形態においては、図７に示すように、急病人４７を救出した救急隊員４６が、急病人４７が居る階から基準階へ移動する際のエレベータシステム１０の動作について説明する。なお第３の実施の形態におけるエレベータシステム１０の構成は、上述の第２の実施の形態におけるエレベータシステム１０の構成と略同一であるので、構成に関する説明を省略する。
【００５８】
エレベータシステムの動作例
次に、このような構成からなるエレベータシステム１０の動作の一例について、図８に示すフローチャートを参照して説明する。なお図８における「開始」の時点では、乗りかご９の運行モードが通常運転モードになっている。
【００５９】
急病人４７を救出した救急隊員４６は、３階の乗り場１３ｃに到達する。この際、救急隊員４６は、３階の乗り場１３ｃに到達するよりも前に、自身が携帯する携帯型送信装置１から救出運転信号を放出させる。携帯型送信装置１からの救出運転信号は、３階の乗り場１３ｃに設けられた基準階受信装置２ｃによって検出される。その後、３階受信装置２ｃが救出運転信号を検出したという信号が信号入力装置３ｂへ送信され、これによって、信号入力装置３ｂのビット＜５＞が１となる（Ｓ２０１）。
【００６０】
なお、携帯型送信装置１から放出され３階受信装置２ｃによって検出される救出運転信号と、上述の第１および第２の実施の形態において携帯型送信装置１から放出され基準階受信装置２ａによって検出される救出運転信号とは、同一の信号であってもよく、若しくは、異なる信号であってもよい。なお、３階受信装置２ｃによって検出される救出運転信号と基準階受信装置２ａによって検出される救出運転信号とが同一の信号である場合、携帯型送信装置１から放出される信号の出力パワーは、携帯型送信装置１から放出される救出運転信号が各受信装置２ａ，２ｂ，２ｃのうち１つの受信装置のみによって検出されるよう制限されている。
【００６１】
次に、モード管理手段３１が、信号入力装置３ｂから送信される、ビット＜５＞＝１となっていることを意味する信号に基づいて、乗りかご９の運行モードを救出運転モードとする（Ｓ２０２）。またモード管理手段３１は、運行モードが救出運転モードになったという情報を、信号出力装置３ｃ、乗り場呼び禁止手段３３およびかご呼び禁止手段３４に送信する。
【００６２】
乗り場呼び禁止手段３３は、運行モードが救出運転モードとなっている間、基準階乗り場呼び手段１４ａ、２階乗り場呼び手段１４ｂおよび３階乗り場呼び手段１４ｃからの信号を全て無効化する。またかご呼び禁止手段３４は、運行モードが救出運転モードとなっている間、かご呼び手段５からの信号を無効化する。これによって、各乗り場呼び手段１４ａ，１４ｂ，１４ｃおよびかご呼び手段５が無効化される（Ｓ２０３）。
【００６３】
また行先階設定手段３２は、信号入力装置３ｂから送信される、ビット＜５＞＝１となっていることを意味する信号に基づいて、救出運転信号を検出した受信装置が設けられている階を乗りかご９の行先階に設定する。具体的には、救出運転信号を検出した３階受信装置２ｃが設けられている階である３階を、乗りかご９の行先階に設定する。その後、乗りかご９が、３階の乗り場１３ｃに到着する（Ｓ２０４）。
【００６４】
また救急隊員４６は、自身が携帯する携帯型送信装置１から乗り場呼び解除信号を放出させる。携帯型送信装置１からの乗り場呼び解除信号は、３階の乗り場１３ｃに設けられた３階受信装置２ｃによって検出される。その後、３階受信装置２ｃが乗り場呼び解除信号を検出したという信号が信号入力装置３ｂへ送信され、これによって、信号入力装置３ｂのビット＜６＞が１となる（Ｓ２０５）。
【００６５】
なお、上述の救出運転信号の場合と同様に、携帯型送信装置１から放出され３階受信装置２ｃによって検出される乗り場呼び解除信号と、上述の第２の実施の形態において携帯型送信装置１から放出され基準階受信装置２ａによって検出される乗り場呼び解除信号とは、同一の信号であってもよく、若しくは、異なる信号であってもよい。
【００６６】
また救急隊員４６は、乗りかご９が３階の乗り場１３ｃに到着した後に携帯型送信装置１から乗り場呼び解除信号を放出させてもよく、若しくは、乗りかご９が３階の乗り場１３ｃに到着する前に携帯型送信装置１から乗り場呼び解除信号を放出させてもよい。
【００６７】
次に、乗り場呼び解除手段３５が、信号入力装置３ｂから送信される、ビット＜６＞＝１となっていることを意味する信号に基づいて、乗り場呼び解除信号を検出した受信装置が設けられている階における乗り場呼び手段の無効化を解除する。具体的には、乗り場呼び解除信号を検出した３階受信装置２ｃが設けられている階である３階について、３階乗り場呼び手段１４ｃの無効化を解除する（Ｓ２０６）。これによって、救急隊員４６が３階乗り場呼び手段１４ｃを用いて乗りかご９の中に乗り込むことが可能となる。
【００６８】
その後、救急隊員４６は、自身が携帯する携帯型送信装置１からかご呼び解除信号を放出させる。携帯型送信装置１からのかご呼び解除信号は、乗りかご９内に設けられた乗りかご受信装置４によって検出される。その後、乗りかご受信装置４がかご呼び解除信号を検出したという信号が信号入力装置３ｂへ送信され、これによって、信号入力装置３ｂのビット＜２＞が１となる（Ｓ２０７）。
【００６９】
次に、かご呼び解除手段３６が、信号入力装置３ｂから送信される、ビット＜２＞＝１となっていることを意味する信号に基づいて、かご呼び手段５の無効化を解除する（Ｓ２０８）。これによって、救急隊員４６が乗りかご９の行先階として基準階（建物の玄関に最も近いエレベータ乗り場がある階）を指定することが可能となる。
【００７０】
その後、乗りかご９が基準階の乗り場１３ａに到着する（Ｓ２０９）。乗りかご９が基準階の乗り場１３ａに到着すると、モード管理手段３１は、乗りかご９の運行モードを救出運転モードから通常運転モードに戻す。これによって、その後、建物の居住者は、通常通りエレベータを利用することができる。
【００７１】
このように本実施の形態によれば、救急隊員４６が有する携帯型送信装置１からの救出運転信号を基準階受信装置２ａが検出した時、モード管理手段３１が乗りかご９の運行モードを救出運転モードとし、かつ、行先階設定手段２１が急病人４７の居る階を乗りかご９の行先階に設定する。このため、急病人４７を救出した救急隊員４６が迅速に乗りかご９を利用することができる。このことにより、急病人を医療施設へ迅速に搬送することができる。
【００７２】
また本実施の形態によれば、乗り場呼び禁止手段３３およびかご呼び禁止手段３４により、乗りかご９が救急隊員４６および急病人４７の居る３階に向かって運行している間に乗りかご９が３階以外の階で停止することを防ぐことができる。このことにより、乗りかご９をより３階へ到着させることができる。
【００７３】
また本実施の形態によれば、救急隊員４６および急病人４７を乗せた乗りかご９が基準階に向けて運行する間、乗りかご９の運行モードが救出運転モードとなっている。このため、乗りかご９が基準階に向かって運行している間、乗りかご９が基準階以外の階で停止することはない。このため、救急隊員４６および急病人４７をより迅速に基準階へ到達させることができる。
【００７４】
第４の実施の形態
次に図９乃至図１１を参照して、本発明の第４の実施の形態について説明する。図９乃至図１１に示す第４の実施の形態において、エレベータシステム１０は、セキュリティ装置からの制御に基づいて開閉可能な玄関ドアをさらに備えている。図９乃至図１１に示す第４の実施の形態において、図１乃至図４に示す第１の実施の形態および図５および図６に示す第２の実施の形態と同一部分には同一符号を付して詳細な説明は省略する。
【００７５】
エレベータシステム
図９に示すように、エレベータシステム１０が設置された建物は、基準階の乗り場１３ａの近傍に設けられ、セキュリティ装置１５からの制御に基づいて開閉可能な玄関ドア１２を備えている。この場合、エレベータシステム１０は、玄関ドア１２の近傍に設けられるとともに制御機構３と通信可能に接続され、携帯型送信装置１からの救出運転信号を検出する玄関受信装置２ｚをさらに備えている。
【００７６】
制御機構
図１０に示すように、上述の玄関受信装置２ｚは、制御機構３の信号入力装置３ｂに接続されている。ここで信号入力装置３ｂの記憶部は、図１０に示すように、玄関受信装置２ｚからの救出運転信号を２進数のデータとして記憶するビット＜７＞をさらに含んでいる。
【００７７】
また図１０に示すように、信号出力装置３ｃは、セキュリティ装置１５を介して玄関ドア１２を開放するためのセキュリティ解除信号を送信可能となっている。また記憶部は、セキュリティ解除信号のＯＮ／ＯＦＦを１または０のデータとして記憶するビット＜２＞をさらに含んでいる。
【００７８】
エレベータシステムの動作例
次に、このような構成からなるエレベータシステム１０の動作の一例について、図１１に示すフローチャートを参照して説明する。なお図１１における「開始」の時点では、乗りかご９の運行モードが通常運転モードになっている。
【００７９】
建物の玄関に到着した救急隊員４６は、自身が携帯する携帯型送信装置１から救出運転信号を放出させる。携帯型送信装置１からの救出運転信号は、玄関ドア１２の近傍に設けられた玄関受信装置２ｚによって検出される。その後、玄関受信装置２ｚが救出運転信号を検出したという信号が信号入力装置３ｂへ送信され、これによって、信号入力装置３ｂのビット＜７＞が１となる（Ｓ３０１）。
【００８０】
なお、携帯型送信装置１から放出され玄関受信装置２ｚによって検出される救出運転信号と、上述の第１および第２の実施の形態において携帯型送信装置１から放出され基準階受信装置２ａによって検出される救出運転信号とは、同一の信号であってもよく、若しくは、異なる信号であってもよい。なお、玄関受信装置２ｚによって検出される救出運転信号と基準階受信装置２ａによって検出される救出運転信号とが同一の信号である場合、携帯型送信装置１から放出される信号の出力パワーは、携帯型送信装置１から放出される救出運転信号が各受信装置２ａ，２ｂ，２ｃ，２ｚのうち１つの受信装置のみによって検出されるよう、制限されている。
【００８１】
次に、モード管理手段３１が、信号入力装置３ｂから送信される、ビット＜７＞＝１となっていることを意味する信号に基づいて、乗りかご９の運行モードを救出運転モードとする（Ｓ３０２）。またモード管理手段３１は、運行モードが救出運転モードになったという情報を、信号出力装置３ｃ、乗り場呼び禁止手段３３およびかご呼び禁止手段３４に送信する。
【００８２】
乗り場呼び禁止手段３３は、運行モードが救出運転モードとなっている間、基準階乗り場呼び手段１４ａ、２階乗り場呼び手段１４ｂおよび３階乗り場呼び手段１４ｃからの信号を全て無効化する。またかご呼び禁止手段３４は、運行モードが救出運転モードとなっている間、かご呼び手段５からの信号を無効化する。これによって、各乗り場呼び手段１４ａ，１４ｂ，１４ｃおよびかご呼び手段５が無効化される（Ｓ３０３）。
【００８３】
また、制御装置３ａのモード管理手段３１は、信号入力装置３ｂからの信号に基づいて、信号出力装置３ｃのビット＜２＞に記憶されているデータが０から１に変更されるよう、信号出力装置３ｃに向けて信号を送信する。これによって、信号出力装置３ｃのビット＜２＞が１となる。その後、信号出力装置３ｃは、セキュリティ解除信号を生成するとともに、当該セキュリティ解除信号をセキュリティ装置１５に送信する。これによって、玄関ドア１２が開放される（Ｓ３１１）。
【００８４】
また行先階設定手段３２は、信号入力装置３ｂから送信される、ビット＜７＞＝１となっていることを意味する信号に基づいて、救出運転信号を検出した受信装置に関連する階を乗りかご９の行先階に設定する。具体的には、救出運転信号を検出した玄関受信装置２ｚが設けられている玄関ドア１２から最も近い乗り場１３ａが設けられている階である基準階を、乗りかご９の行先階に設定する。その後、乗りかご９が、基準階の乗り場１３ａに到着する（Ｓ３０４）。
【００８５】
その後、救急隊員４６が乗りかご９に乗り込み、乗りかご９が３階の乗り場１３ｃに到着し、そして乗りかご９の運行モードが通常運行モードに戻されるまでの動作Ｓ３０５〜Ｓ３１０は、図６に示す第２の実施の形態における動作Ｓ１０５〜Ｓ１１０と略同一であるので、説明を省略する。
【００８６】
このように本実施の形態によれば、エレベータシステム１０は、玄関ドア１２の近傍に設けられるとともに制御機構３と通信可能に接続され、携帯型送信装置１からの救出運転信号を検出する玄関受信装置２ｚを備えている。このため、セキュリティ装置１５からの制御に基づいて開閉可能な玄関ドア１２が建物に設置されている場合であっても、迅速に玄関ドア１２を通過することができる。このことにより、急病人４７の救出に要する時間を短くすることができる。
【００８７】
なお本実施の形態において、玄関ドア１２が開放され、救急隊員４６が玄関ドア１２を通過した後、玄関ドア１２が閉鎖されるタイミングが特に限られることはない。例えば、玄関ドア１２が開放された後一定時間が経過すると、玄関ドア１２が自動的に閉鎖されてもよい。
【００８８】
第５の実施の形態
次に図１２および図１３を参照して、本発明の第５の実施の形態について説明する。
【００８９】
乗りかご９の運行モードが救出運転モードとなっている場合、急病人４７の救出に要する時間を短くするために一般の居住者によるエレベータの利用を制限することが好ましい。例えば上述の実施の形態において説明したように、運行モードが救出運転モードとなっている間、各乗り場呼び手段１４ａ，１４ｂ，１４ｃおよびかご呼び手段５を無効化することが好ましい。
【００９０】
しかしながら、居住者に対して何ら事情を伝えることなく各乗り場呼び手段１４ａ，１４ｂ，１４ｃおよびかご呼び手段５を無効化してしまうと、居住者に対して無用の不安を与えてしまう。従って、各乗り場呼び手段１４ａ，１４ｂ，１４ｃおよびかご呼び手段５が無効化されているという情報を居住者に対して報知することが望まれる。
【００９１】
本実施の形態においては、急病人４７の救出のために各乗り場呼び手段１４ａ，１４ｂ，１４ｃおよびかご呼び手段５が一時的に無効化されているという情報を、各階の居室に設けられたインターホン１１ｂ、１１ｃの表示装置を介して視覚的に居住者に報知する例について、図１２を参照して説明する。
【００９２】
なお図１２に示す本実施の形態におけるエレベータシステム１０の動作は、インターホン１１ｂ、１１ｃの表示装置を作動させる工程（Ｓ３１２）が追加された点が異なるのみであり、その他の点は、図１１に示す第４の実施の形態におけるエレベータシステム１０の動作と略同一である。ここでは、インターホン１１ｂ、１１ｃの表示装置を作動させる工程（Ｓ３１２）についてのみ説明する。
【００９３】
エレベータシステムの動作例
制御装置３ａのモード管理手段３１は、信号出力装置３ｃのビット＜０＞に記憶されているデータが０から１に変更されるよう、信号出力装置３ｃに向けて信号を送信する。これによって、信号出力装置３ｃのビット＜０＞が１となる。その後、信号出力装置３ｃは、表示装置出力信号を生成するとともに、当該表示装置出力信号をセキュリティ装置１５に送信する。
【００９４】
セキュリティ装置１５が表示装置出力信号を受信すると、セキュリティ装置１５は、インターホン１１ｂ、１１ｃの表示装置に、各乗り場呼び手段１４ａ，１４ｂ，１４ｃおよびかご呼び手段５が一時的に無効化されているという情報を表示させる（Ｓ３１２）。図１３に、この際にインターホン１１ｂ、１１ｃの表示装置に表示される画面の一例を示す。これによって、居住者は、急病人４７を救出するためにエレベータの利用が制限されているということを知ることができる。
【００９５】
なお本実施の形態において、インターホン１１ｂ、１１ｃの表示装置を作動させる工程（Ｓ３１２）が、図１１に示す第４の実施の形態におけるエレベータシステム１０の動作に対して追加される例を示した。しかしながら、これに限られることはなく、インターホン１１ｂ、１１ｃの表示装置を作動させる工程（Ｓ３１２）を、第１乃至第３の実施の形態におけるエレベータシステム１０の動作に対して追加してもよい。
【００９６】
第６の実施の形態
なお、急病人４７の救出のために各乗り場呼び手段１４ａ，１４ｂ，１４ｃおよびかご呼び手段５が一時的に無効化されているという情報は、各インターホン１１ｂ、１１ｃの音声案内装置を介して聴覚的に居住者に報知されてもよい。この場合のエレベータシステム１０の動作について、図１４を参照して説明する。
【００９７】
エレベータシステムの動作例
制御装置３ａのモード管理手段３１は、信号出力装置３ｃのビット＜１＞に記憶されているデータが０から１に変更されるよう、信号出力装置３ｃに向けて信号を送信する。これによって、信号出力装置３ｃのビット＜１＞が１となる。その後、信号出力装置３ｃは、アナウンス出力信号を生成するとともに、当該アナウンス出力信号をセキュリティ装置１５に送信する。
【００９８】
セキュリティ装置１５がアナウンス出力信号を受信すると、セキュリティ装置１５は、インターホン１１ｂ、１１ｃの音声案内装置に、各乗り場呼び手段１４ａ，１４ｂ，１４ｃおよびかご呼び手段５が一時的に無効化されているという情報を音声案内させる（Ｓ３１３）。これによって、居住者は、急病人４７を救出するためにエレベータの利用が制限されているということを知ることができる。
【００９９】
なお本実施の形態において、インターホン１１ｂ、１１ｃの音声案内装置を作動させる工程（Ｓ３１３）が、図１１に示す第４の実施の形態におけるエレベータシステム１０の動作に対して追加される例を示した。しかしながら、これに限られることはなく、インターホン１１ｂ、１１ｃの音声案内装置を作動させる工程（Ｓ３１３）を、第１乃至第３の実施の形態におけるエレベータシステム１０の動作に対して追加してもよい。
【符号の説明】
【０１００】
１  携帯型送信装置
２ａ  基準階受信装置
２ｂ  ２階受信装置
２ｃ  ３階受信装置
２ｚ  玄関受信装置
３  制御機構
３ａ  制御装置
３ｂ  信号入力装置
３ｃ  信号出力装置
４  乗りかご受信装置
５  かご呼び手段
８  カーオペレーションパネル（ＣＯＰ）
９  乗りかご
１０  エレベータシステム
１１ｂ，１１ｃ  インターホン
１２  玄関ドア
１３ａ  基準階の乗り場
１３ｂ  ２階の乗り場
１３ｃ  ３階の乗り場
１４ａ  基準階乗り場呼び手段
１４ｂ  ２階乗り場呼び手段
１４ｃ  ３階乗り場呼び手段
１５  セキュリティ装置
１６  セキュリティ管理室
３１  モード管理手段
３２  行先階設定手段
３３  乗り場呼び禁止手段
３４  かご呼び禁止手段
３５  乗り場呼び解除手段
３６  かご呼び解除手段
４０  巻上機
４１  釣合重り
４２  ロープ
【図１】
0005955518.tif 000002
【図２】
0005955518.tif 000003
【図３】
0005955518.tif 000004
【図４】
0005955518.tif 000005
【図５】
0005955518.tif 000006
【図６】
0005955518.tif 000007
【図７】
0005955518.tif 000008
【図８】
0005955518.tif 000009
【図９】
0005955518.tif 000010
【図１０】
0005955518.tif 000011
【図１１】
0005955518.tif 000012
【図１２】
0005955518.tif 000013
【図１３】
0005955518.tif 000014
【図１４】
0005955518.tif 000015